(57)【要約】【課題】  しつこい汚れに対しても、生地を傷めることなく比較的短時間でクリーニングできるようにする。【解決手段】  ベッド１のある場所において、そのスプリングマットレス２の表面を作業者ｈが持ち運び可能な吸引装置で吸引して塵・埃を除去し、その塵・埃が除去されたスプリングマットレス２の表面に洗浄剤を散布し、その洗浄剤が散布されたスプリングマットレス２の表面に作業者ｈが持ち運び可能なスチーム洗浄機５でスチーム５ａを噴射し、そのスチーム５ａが噴射されたスプリングマットレス２の表面にハンドポリシャー６で振動を繰り返し加えて汚れを分解し、その汚れが分解されたスプリングマットレス２の表面を作業者ｈが持ち運び可能な汚水吸引装置で吸引して汚水を除去し、その汚水が除去されたスプリングマットレス２の表面を作業者ｈが持ち運び可能な乾燥装置で赤外線を照射して乾燥する。【選択図】  図４
2013059713.tif 000002
【特許請求の範囲】
【請求項１】
ベッドのある場所において、そのベッドのスプリングマットレスの表面を作業者が持ち運び可能な吸引装置で吸引して塵・埃を除去する清掃工程と、塵・埃が除去されたスプリングマットレスの表面に洗浄剤を散布する洗浄剤散布工程と、洗浄剤が散布されたスプリングマットレスの表面に作業者が持ち運び可能なスチーム洗浄機でスチームを噴射するスチーム噴射工程と、スチームが噴射されたスプリングマットレスの表面に振動を繰り返し加えて汚れを分解する加振工程と、加振されたスプリングマットレスの表面を作業者が持ち運び可能な汚水吸引装置で吸引して汚水を除去する汚水除去工程と、汚水が除去されたスプリングマットレスの表面の水分を拭き取る拭取り工程と、拭き取られたスプリングマットレスの表面に作業者が持ち運び可能な乾燥装置で赤外線を照射して乾燥する乾燥工程とを順に行うことを特徴とする、スプリングマットレスの現場クリーニング方法。
【請求項２】
拭取り工程が、吸水性を有する布材をスプリングマットレスの表面に敷き、この布材に加振機の偏心運動で振動を繰り返し加えてスプリングマットレス表面の水分を吸水するようにしたものである、請求項１記載のスプリングマットレスの現場クリーニング方法。
【請求項３】
スチーム噴射工程と汚水除去工程の組み合わせを複数回繰り返すようにした、請求項１又は２記載のスプリングマットレスの現場クリーニング方法。
【請求項４】
乾燥装置が、車輪を備えた左右の支柱間に支持棒を上下左右に伸縮可能に架設し、その支持棒に赤外線中波を下向きに照射する１本の横長の乾燥灯を設け、スプリングマットレスを跨いで照射距離を一定に保持しながらスプリングマットレスの長さ方向に沿って移動できるようにした構造である、請求項１〜３いずれか記載のスプリングマットレスの現場クリーニング方法。
【請求項５】
乾燥灯が、スプリングマットレスの幅方向に横行可能な構造である、請求項４記載のスプリングマットレスの現場クリーニング方法。
【請求項６】
車輪を備えた左右の支柱間に支持棒を上下左右に伸縮可能に架設し、その支持棒に赤外線中波を下向きに照射する１本の横長の乾燥灯を設け、スプリングマットレスを跨いで照射距離を一定に保持しながらスプリングマットレスの長さ方向に沿って移動できるようにした、スプリングマットレス用乾燥装置。
【請求項７】
乾燥灯が、スプリングマットレスの幅方向に横行可能な構造である、請求項６記載のスプリングマットレス用乾燥装置。
【発明の詳細な説明】
【技術分野】
【０００１】
本発明は、ベッドのスプリングマットレスを現場でクリーニングする技術に関する。
【背景技術】
【０００２】
従来において、ホテルや研修所などの宿泊施設で利用されるベッドは、利用者が頻繁に入れ替わることから、シーツやスプリングマットレスを定期的にクリーニングする必要があった。また、個人宅においても、長年使用しているベッドのスプリングマットレスは失禁や嘔吐などの様々なトラブルにより不衛生な状態で使い続けざるを得ない状況があった。これまで、そのスプリングマットレスをクリーニングすることは非常に困難であり、クリーニングできたとしても特殊な機器でのオゾンや熱による消毒が限度であり、様々なトラブルについての対応ができていないという状況であった。また、その場合においても、大きく重量もあるスプリングマットレスを施設もしくは家庭より外部に搬出の上、再度搬入する必要があり、その作業そのものが非常に負荷の高いものであり、且つ即日性に欠けるものであった。結果として、スプリングマットレスを日頃からクリーニングし、より衛生的な状態で使用したいという使用者ニーズに対応することができないという現状になってしまっている。
【０００３】
この問題に対し、スプリングマットレスを現場でクリーニングできるようにする技術が特許文献１で提案されている。この技術は、スプリングマットレスの表面を掃除機で吸引して塵・埃を除去し、そのスプリングマットレスの表面に作業者が持ち運び可能なスチーム洗浄機でスチームを噴射し、そのスプリングマットレスの表面を作業者が持ち運び可能な汚水除去装置で汚水を吸引し、そのスプリングマットレスの表面を複数の赤外線ランプを備えた乾燥装置で乾燥することを特徴とし、業者がベッドのある現場に出張してクリーニングできるようになる、というものである。
【０００４】
ところで、前記特許文献１記載の技術は、スチームの噴射のみで汚れを浮き上がらせる方法であるから、しつこい汚れに対してはスチームの噴射工程と汚水除去の工程を何度も繰り返す必要があり、多量の水分がスプリングマットレスの内部まで浸透して乾燥に時間がかかってしまうという問題があった。また、その際に使用する乾燥装置についても、赤外線ランプが複数あって部材が多いため、搬入出に時間を要するという問題があった。さらに、高温のスチーム噴射の繰り返しによってスプリングマットレスの生地を傷める場合もあった。
【先行技術文献】
【特許文献】
【０００５】
【特許文献１】特開２００２−５８７２６号公報
【発明の概要】
【発明が解決しようとする課題】
【０００６】
本発明が解決しようとする課題は、従来のこれらの問題点を解消し、しつこい汚れに対しても、生地を傷めることなく比較的短時間でクリーニングできるようにすることにある。また、乾燥装置においても、シンプルな部材を採用することにより搬入出の時間を短縮させることにある。
【課題を解決するための手段】
【０００７】
かかる課題を解決した本発明の構成は、
１）  ベッドのある場所において、そのベッドのスプリングマットレスの表面を作業者が持ち運び可能な吸引装置で吸引して塵・埃を除去する清掃工程と、塵・埃が除去されたスプリングマットレスの表面に洗浄剤を散布する洗浄剤散布工程と、洗浄剤が散布されたスプリングマットレスの表面に作業者が持ち運び可能なスチーム洗浄機でスチームを噴射するスチーム噴射工程と、スチームが噴射されたスプリングマットレスの表面に振動を繰り返し加えて汚れを分解する加振工程と、加振されたスプリングマットレスの表面を作業者が持ち運び可能な汚水吸引装置で吸引して汚水を除去する汚水除去工程と、汚水が除去されたスプリングマットレスの表面の水分を拭き取る拭取り工程と、拭き取られたスプリングマットレスの表面に作業者が持ち運び可能な乾燥装置で赤外線を照射して乾燥する乾燥工程とを順に行うことを特徴とする、スプリングマットレスの現場クリーニング方法
２）  拭取り工程が、吸水性を有する布材をスプリングマットレスの表面に敷き、この布材に加振機の偏心運動で振動を繰り返し加えてスプリングマットレス表面の水分を吸水するようにしたものである、前記１）記載のスプリングマットレスの現場クリーニング方法
３）  スチーム噴射工程と汚水除去工程の組み合わせを複数回繰り返すようにした、前記１）又は２）記載のスプリングマットレスの現場クリーニング方法
４）  乾燥装置が、車輪を備えた左右の支柱間に支持棒を上下左右に伸縮可能に架設し、その支持棒に赤外線中波を下向きに照射する１本の横長の乾燥灯を設け、スプリングマットレスを跨いで照射距離を一定に保持しながらスプリングマットレスの長さ方向に沿って移動できるようにした構造である、前記１）〜３）いずれか記載のスプリングマットレスの現場クリーニング方法
５）  乾燥灯が、スプリングマットレスの幅方向に横行可能な構造である、前記４）記載のスプリングマットレスの現場クリーニング方法
６）  車輪を備えた左右の支柱間に支持棒を上下左右に伸縮可能に架設し、その支持棒に赤外線中波を下向きに照射する１本の横長の乾燥灯を設け、スプリングマットレスを跨いで照射距離を一定に保持しながらスプリングマットレスの長さ方向に沿って移動できるようにした、スプリングマットレス用乾燥装置
７）  乾燥灯が、スプリングマットレスの幅方向に横行可能な構造である、前記６）記載のスプリングマットレス用乾燥装置
にある。
【発明の効果】
【０００８】
本発明の前記１）記載の構成によれば、従来技術に洗浄剤散布工程と加振工程を付加したから、洗浄剤とスチームと振動の相乗効果で洗浄力がより向上し、従来技術と比較して汚れが短時間に浮き上がりやすくなる。したがって、スチーム噴射工程と汚水除去工程を従来技術ほど繰り返す必要がなくなり、しつこい汚れに対しても、生地を傷めることなく比較的短時間でクリーニングできるようになる。
【０００９】
本発明の前記２）記載の構成によれば、加振機の偏心運動による連続的な振動でスプリングマットレスに残っている水分が短時間に且つ確実に吸水され、後の乾燥工程に要する時間を短縮できるようになる。
【００１０】
本発明の前記３）記載の構成によれば、汚れがひどい場合でも、スチーム噴射工程と汚水除去工程を従来技術ほど何度も繰り返す必要がなくなり、少ない回数で確実にクリーニングできるようになる。
【００１１】
本発明の前記４）及び前記６）記載の構成によれば、スプリングマットレスの高さや長さが現場によって異なっていても、支持棒を上下左右に伸縮させることにより赤外線中波の照射距離を適切に調節でき、しかも移動中は照射距離が常に一定に保持されるから、生地を傷めることなく均一に乾燥できるようになる。また、乾燥灯は横長の１本で部材がシンプルであるから、搬入出の時間を短縮できる。
【００１２】
本発明の前記５）及び前記７）記載の構成によれば、スプリングマットレスの幅が乾燥灯の幅より長い場合でも、乾燥灯を幅方向に横行させることで、ダブルベッドなどの幅広いスプリングマットレスも均一に乾燥できるようになる。
【図面の簡単な説明】
【００１３】
【図１】実施例の乾燥装置の斜視図である。
【図２】実施例の現場クリーニング工程を示すフローである。
【図３】実施例の清掃工程と洗浄剤散布工程を示す説明図である。
【図４】実施例のスチーム噴射工程と加振工程を示す説明図である。
【図５】実施例の汚水除去工程と拭取り工程を示す説明図である。
【図６】実施例の消臭消毒工程と予備乾燥工程を示す説明図である。
【図７】実施例の本乾燥工程を示す説明図である。
【発明を実施するための形態】
【００１４】
以下、本発明を実施するための形態を実施例と図面に基づいて具体的に説明する。
【実施例】
【００１５】
図１は実施例の乾燥装置の斜視図、図２は実施例の現場クリーニング工程を示すフロー、図３は実施例の清掃工程と洗浄剤散布工程を示す説明図、図４は実施例のスチーム噴射工程と加振工程を示す説明図、図５は実施例の汚水除去工程と拭取り工程を示す説明図、図６は実施例の消臭消毒工程と予備乾燥工程を示す説明図、図７は実施例の本乾燥工程を示す説明図である。
【００１６】
図中、１はベッド、２はスプリングマットレス、３は吸引装置、４は散布器、４ａは洗浄剤、５はスチーム洗浄機、５ａはスチーム、６はハンドポリシャー（加振機）、６ａは回転盤、６ｂはタオル、７は汚水吸引装置、８は消毒剤、９は予備乾燥機、１０は乾燥装置、１０ａは支柱、１０ｂは車輪、１０ｃは支持棒、１０ｄは乾燥灯、１０ｅはステー、ｈは作業者である。
【００１７】
後述の本乾燥工程に使用される乾燥装置１０は、図１に示すように、車輪１０ｂを備えた左右一対の支柱１０ａと、支柱１０ａ間に上下左右に伸縮可能に架設した支持棒１０ｃと、支持棒１０ｃに下向きに設け１００Ｖ電源で赤外線中波を照射する１本の乾燥灯１０ｄとで構成されている。乾燥灯１０ｄは長さ９０ｃｍの横長で、ステー１０ｅで支持棒１０ｃに掛けて横行可能にしている。支持棒１０ｃは左右に伸縮させることで１０３〜１６５ｃｍの範囲で調節でき、シングルからワイドダブルまで対応できるようになっている。また、支持棒１０ｃに延長棒（図示せず）を追加して２００ｃｍに延伸させることで、キングサイズまで対応できるようにしてもよい。支持棒１０ｃの高さは６６〜９０ｃｍの範囲で調節できるようになっている。これらの構成により、従来技術と比較して作業者ｈが容易に搬入出できる構造となっている。
【００１８】
以下、本実施例の現場クリーニングを図２のフロー及び図３〜７の工程図に基づいて順に説明する。予めスプリングマットレス２からシーツを取り外し、床面には汚損防止のために養生シート（図示せず）を敷いておく。
【００１９】
＜清掃工程＞
まず、図３（ａ）に示すように、スプリングマットレス２の表面を作業者ｈが持ち運び可能な吸引装置３で吸引して塵・埃を除去する。吸引装置３としては家庭で使用されている一般的な掃除機で十分であるが、吸引力が強く排気がきれいなサイクロン式が望ましい。ノズルをスプリングマットレス２の表面に生地を傷めないように軽く当てて吸引する。片面３分程度かけて丁寧に吸引すると、ダニの除去率が向上する。シミがある場合は、この工程で濃度５０％以上の濃い洗剤を少量塗布し、ブラシでブラッシングしておくと良い。
【００２０】
＜洗浄剤散布工程＞
次に、図３（ｂ）に示すように、塵・埃が除去されたスプリングマットレス２の表面に洗浄剤４ａを散布する。洗浄剤４ａは生地を傷めにくい純植物性を用い、濃度１０〜２０％に調節する。洗浄剤４ａは３３℃以上で洗浄効果が高まるから、３０℃以上の湯に希釈して使用する。散布には一般的な手動スプレー式の散布器４を使用し、シングルベッドの場合で１５０〜２００ｃｃを満遍なく散布する。
【００２１】
＜スチーム噴射工程＞
次に、図４（ａ）に示すように、洗浄剤４ａが散布されたスプリングマットレス２の表面に作業者ｈが持ち運び可能なスチーム洗浄機５でスチーム５ａを噴射する。スチーム洗浄機５としては、例えば本体が小型で床面を車輪で移動でき、１００Ｖ電源で駆動できるタンク式の「ケルヒャー業務用スチームクリーナーＤＥ４００２プラス」（商品名）などが使用でき、約１００℃のスチーム５ａを片面５分程度かけてスプリングマットレス２の表面にゆっくりと満遍なく噴射する。このスチーム５ａの噴射と洗浄剤４ａとの相乗効果で洗浄力がより向上し、ダニ・カビ・雑菌が死滅するとともに臭いが除去される。
【００２２】
＜加振工程＞
次に、図４（ｂ）に示すように、スチーム５ａが噴射されたスプリングマットレス２の表面に振動を繰り返し加えて汚れを分解する。これには回転盤６ａが偏心運動するハンドポリシャー６が使用され、タオル地のパッドを備えた回転盤６ａを当てて偏心の動きで振動を加える。ハンドポリシャー６は回転数が調節できるものが望ましく、スプリングマットレス２を傷めないように生地の素材に合った回転数に調節して使用する。この振動による揉み洗いでスプリングマットレス２の生地に染み込んでいる汚れがさらに分解され、効果的に洗浄される。部分的なしつこい汚れに対しては、ブラシを使用して手作業でブラッシングすると良い。
【００２３】
＜汚水除去工程＞
次に、図５（ａ）に示すように、加振されたスプリングマットレス２の表面を作業者ｈが持ち運び可能な汚水吸引装置７で吸引して汚水を除去する。汚水吸引装置７としては、例えば本体が小型で床面を車輪で移動でき、１００Ｖ電源で駆動できるタンク式の「ケルヒャー業務用カーペットリンスクリーナーＰｕｚｚｉ８／１Ｃ」（商品名）などが使用でき、前記の加振工程で出た汚水（スチーム５ａの水に汚れや死滅したダニ・カビ・雑菌などが含まれている）をゆっくりと吸引して除去する。
【００２４】
＜スチーム噴射工程（２回目）及び汚水除去・すすぎ工程＞
スプリングマットレス２の汚れが十分に落ちていない場合は、前記のスチーム噴射工程と汚水除去工程の組み合わせを必要に応じて複数回繰り返すが、通常は２回で十分である。最後の汚水除去工程では、汚水吸引装置７ですすぎ（洗浄水を吐出しながら吸引）を行い、汚水を完全に除去する。
【００２５】
＜拭取り工程＞
次に、図５（ｂ）に示すように、汚水が除去されたスプリングマットレス２の表面を拭き取る。スプリングマットレス２は汚水吸引装置７の吸引で表面上の水分はある程度除去されているが、生地やクッションに吸水された水分は依然残っているから、できるだけ取り除いて乾燥にかかる時間を短縮できるようにしておく。前記の加振工程で使用したハンドポリシャー６を用い、タオル６ｂをスプリングマットレス２の表面に敷いてパッドを外した回転盤６ａを当て、偏心運動による連続的な振動で残った水分を吸水する。タオル６ｂは乾いたものを数枚用意しておき、取り替えながら作業すると効率が良い。
【００２６】
＜消臭消毒工程＞
次に、図６（ａ）に示すように、拭き取られたスプリングマットレス２の表面に消毒剤８を散布する。消毒剤８としては、例えば二酸化塩素ガスや亜塩素酸ナトリウムを含む水溶液である「ビオフェンスリキッド」（商品名）など、消毒と同時に消臭の効果も得られるものが用いられる。散布には前記の洗浄剤散布工程で使用した手動スプレー式の散布器４を用い、シングルベッドの場合で２０ｃｃ程度を満遍なく散布する。これにより、さらなる消臭効果とダニの駆除効果が発揮される。
【００２７】
＜予備乾燥工程＞
次に、図６（ｂ）に示すように、消毒剤８が散布されたスプリングマットレス２の表面を予備乾燥機９で予備乾燥する。予備乾燥機９としては８５℃前後の熱風を噴射する一般的なドライヤーが用いられる。噴射口をスプリングマットレス２の表面に直接当てて熱風をクッションの内部まで送気し、一時間経過後に位置を変え、これを繰り返して１０〜１５分間予備乾燥する。この予備乾燥によって後述の本乾燥にかかる時間を短縮できる。
【００２８】
＜本乾燥工程＞
最後に、図７に示すように、予備乾燥されたスプリングマットレス２の表面を作業者ｈが持ち運び可能な乾燥装置１０で本乾燥する。この乾燥装置１０の支持棒１０ｃの長さをスプリングマットレス２の幅に合せて調節して跨ぐように配置し、乾燥灯１０ｄがスプリングマットレス２の表面から少なくとも２５ｃｍ以上離れるように支持棒１０ｃの高さを調節する。そして、電源を投入して乾燥灯１０ｄで赤外線中波を照射し、１分間照射後に２０〜３０ｃｍ移動させ、これをスプリングマットレス２の長さ分繰り返す。ダブルベッドの場合は、乾燥灯１０ｄを左右に横行させて乾燥する。同じ位置に３分照射するとスプリングマットレス２の表面温度が９０℃ほどに達するが、これ以上は素材によっては繊維を焦がす恐れがあるから、３分以上の同位置での照射は避ける。この工程で完全に乾燥され、クリーニングが完了する。
【産業上の利用可能性】
【００２９】
本発明の技術は、ベッドのスプリングマットレスの他、医療用のケアマットレスやソファなど、大きくて運搬に労力を要する物品のクリーニングにも応用できる。
【符号の説明】
【００３０】
１      ベッド
２      スプリングマットレス
３      吸引装置
４      散布器
４ａ    洗浄剤
５      スチーム洗浄機
５ａ    スチーム
６      ハンドポリシャー（加振機）
６ａ    回転盤
６ｂ    タオル
７      汚水吸引装置
８      消毒剤
９      予備乾燥機
１０    乾燥装置
１０ａ  支柱
１０ｂ  車輪
１０ｃ  支持棒
１０ｄ  乾燥灯
１０ｅ  ステー
ｈ      作業者
【図１】
2013059713.tif 000003
【図２】
2013059713.tif 000004
【図３】
2013059713.tif 000005
【図４】
2013059713.tif 000006
【図５】
2013059713.tif 000007
【図６】
2013059713.tif 000008
【図７】
2013059713.tif 000009